(57)【要約】【課題】  包装袋から取り出したゆで卵を、無理して一口で食べたり、口の中で噛み切って残りの半分を包装袋の中に戻すような食べにくさを解消するもので、ゆで卵包装袋からゆで卵を取り出す際に、予め包装袋の中で食べ易い大きさにカットしてから取り出せるようにすることである。【解決手段】  ゆで卵１１を密封収納する袋状体１２と、前記ゆで卵１１の取り出し方向とほぼ直交するように袋状体１２の内部に配置された線状体１３とを備える。【選択図】      図１
2005035606.tif 000002
【特許請求の範囲】
【請求項１】
ゆで卵を密封収納する袋状体と、
前記ゆで卵の取り出し方向とほぼ直交するように袋状体の内部に配置された線状体とを備えることを特徴とするゆで卵包装袋。
【請求項２】
前記袋状体は、複数のプラスチックシートを重ね、その周囲をシールすることで袋状に形成したものであり、殻を除去したゆで卵の収納部分から離れた位置には袋状体の一部を開封してゆで卵の取出口を形成するための開封補助部が設けられている請求項１記載のゆで卵包装袋。
【請求項３】
前記線状体は、前記ゆで卵の収納部分と開封補助部との間に配置されている請求項２記載のゆで卵包装袋。
【請求項４】
前記線状体は、その両端部が袋状体の対向するシール部分にそれぞれ固定され、直線性を保持した状態で袋状体の内部に配置されている請求項１又は３記載のゆで卵包装袋。
【請求項５】
前記線状体は、プラスチック製の糸からなる請求項１、３、４のいずれか記載のゆで卵包装袋。
【発明の詳細な説明】
【技術分野】
【０００１】
本発明はゆで卵を食べ易い大きさで取り出すことのできるゆで卵包装袋に関する。
【背景技術】
【０００２】
従来、ゆで卵の包装袋として、例えば特許文献１に記載のものが知られている。このゆで卵包装袋１は、図７に示されるように、殻付ゆで卵２を収納する袋状の包装体３に、卵殻を剥離されたゆで卵が収納される付帯袋４を設けたものである。包装体３は２枚のシートの周縁を開封容易な粘着剤で密封するもので、殻付ゆで卵２をその全面に塗着させた強い粘着剤を介して密着させている。包装体３の上端には２枚のシートを開封し易いように、つまみ部５が設けられている。また、包装体３と付帯袋４との境目には弱い粘着剤で仕切られている他、切り離し易いようにミシン目６が入っている。
【０００３】
このような構造からなるゆで卵の包装袋１にあっては、ゆで卵を食べる時には、包装体３の上から卵殻に十分なひび割れを発生させてから上端のつまみ部５を両手で持って２枚のシートを順に引き裂く。殻付ゆで卵２のひび割れた卵殻はシートに塗着された強い粘着剤に密着され、食用部分のみが取り出される。そして、更にシートを剥がしていくと、付帯袋４との間を仕切る弱い粘着部分が剥がされて、殻が取り除かれたゆで卵が付帯袋４の中に自然落下する。そして、更に包装体３と付帯袋４とをミシン目６に沿って切り離して包装体３の方は捨て、付帯袋４を手に持ってゆで卵を食べることができる。
【０００４】
このように、上記従来のゆで卵包装袋１にあっては、卵殻を除去したゆで卵を直接に手で持つことがないので、衛生的に食べることができるものの、ゆで卵をその形状のままで取り出すことになるため、食べにくいものとなっていた。即ち、ゆで卵丸々一つを口の中に入れ、無理して一口で食べてしまうか、それが難しい場合には口の中で半分の大きさに噛み切って一方を先ず食べ、他方を付帯袋４の中に一旦戻さなければならなかった。
【特許文献１】特開平８−１３１１２６号公報
【発明の開示】
【発明が解決しようとする課題】
【０００５】
本発明が解決しようとする問題点は、包装袋から取り出したゆで卵を、無理して一口で食べたり、口の中で噛み切って残りの半分を包装袋の中に戻すような食べにくさを解消するもので、ゆで卵包装袋からゆで卵を取り出す際に、予め包装袋の中で食べ易い大きさにカットしてから取り出せるようにすることである。
【課題を解決するための手段】
【０００６】
上記課題を解決するために、本発明の請求項１に係るゆで卵包装袋は、ゆで卵を密封収納する袋状体と、前記ゆで卵の取り出し方向とほぼ直交するように袋状体の内部に配置された線状体とを備えることを特徴とする。
【０００７】
この発明によれば、ゆで卵の取り出し方向と直交するように線状体を配置したので、ゆで卵を取り出す際に、この線状体にゆで卵を交わらせるだけで、ゆで卵を半分にカットした状態で取り出すことができる。
【０００８】
また、本発明の袋状体は、例えば複数のプラスチックシートを重ね、その周囲をシールすることで袋状に形成したものであり、殻を除去したゆで卵の収納部分から離れた位置には袋状体の一部を開封してゆで卵の取出口を形成するための開封補助部が設けられている。プラスチックシートは、例えば透明のポリエチレンシートを用いることができ、食品安全性の高いものが望ましい。また、前記開封補助部は、例えばシール部分に設けた切込みが望ましい。
【０００９】
また、本発明の線状体は、前記ゆで卵の収納部部分と開封補助部との間に配置されているのが望ましい。さらに、本発明の線状体は、その両端部が袋状体の対向するシール部分にそれぞれ固定され、直線性を保持した状態で袋状体の内部に配置されているのが望ましい。直線性を保持させることで線状体に張力が生じ、ゆで卵を線状体に押し付けた時にも線状体が弛むことないので、ゆで卵のカットがスムーズに行える。
【００１０】
上記線状体は、食品安全性や切断性などを考慮した場合、ナイロン糸などのプラスチック製の糸が望ましいものである。
【発明の効果】
【００１１】
本発明のゆで卵包装袋は、袋からゆで卵を取り出す際に、予め包装袋の中で半分にカットされた状態で取り出すことができるので、従来のように無理して一口で食べたり、口の中で半分に噛み切る等の必要もないので、非常に食べ易いものとなった。特に、駅の売店で買ったゆで卵を電車内で食べる場合や、野外で利用する場合にも非常に簡便なものとなり、さらに二人で半分ずつに分けて食べる場合にも抵抗感がなく分け合うことができる。
【発明を実施するための最良の形態】
【００１２】
図１は、本発明に係るゆで卵包装袋１０の全体形状を示したものである。このゆで卵包装袋１０は、殻を除去したゆで卵１１を密封収納する長方形状の袋状体１２と、この袋状体１２の内部に配置された線状体１３とを備える。
【００１３】
前記袋状体１２は、長方形状の２枚の透明プラスチックシートを重ね、その全周に熱溶着によるシール部１４を設けることによって袋状に形成したものである。そして、この袋状体１２の本体部分がゆで卵１１の収納部分となり、この収納部分から離れた上端付近のシール部１４には三角形状の切込み部１５が設けられている。
【００１４】
この切込み部１５は、図２に示されるように、袋状体１２の上部を横方向に開封してゆで卵１１の取出口１６を形成するための開封補助部である。なお、この切込み部１５の形状は、上記の三角形状に限られないこと勿論である。
【００１５】
前記の袋状体１２の内部に配置される線状体１３は、図３に矢印Ｃで示されたゆで卵１１の取り出し方向とほぼ直交するように、ゆで卵１１の収納部分と切込み部１５との間に配置される。この実施形態では袋状体１２がほぼ矩形状に形成されていることから、袋状体１２の上辺１７または下辺１８とほぼ平行に配置される。そして、配置された線状体１３の両端部１３ａ，１３ｂが袋状体１２の左右辺１９，２０のシール部１４に一体に固定されることで、袋状体１２内での線状体１３の直線性が保持されることになる。この線状体１３には、例えばナイロン糸などのプラスチック製の糸や木綿糸、絹糸など天然素材の糸の他、細い金属ワイヤなどを使用することができる。特に、ナイロン糸は強度的に優れている他、袋状体１２の周囲をシールする際に、一緒に熱溶着することができるので、取り扱い面でも優れたものである。線状体１３の両端部１３ａ，１３ｂが熱溶着されることで、シール部１４の当該固定部分から空気漏れするなどのおそれはない。なお、線状体１３が配置される箇所は、ゆで卵１１の収納部分と切込み部１５との間であれば特に制約を受けることはないが、切込み部１５に余りに近すぎると、袋状体１２から取り出すときに多少の取り出しにくさを感ずることがある。
【００１６】
上記構成からなるゆで卵包装袋１０には、ゆで卵１１が以下のようにして密封封止される。先ず、上辺１７を除いた下辺１８及び左右辺１９，２０がシールされている袋状体１２を用意する。この袋状体１２には線状体１３が既に配置されている。次に、袋状体１２の上辺１７の開口から殻を除去したゆで卵１１を入れ、袋状体１２の本体部分に収納する。その時、ゆで卵１１に線状体１３で傷付けないように注意する。ゆで卵１１を収納した後、内部の空気を抜きながら袋状体１２の上辺１７をシールして、図１に示されるようなゆで卵包袋１０を完成させる。袋状体１２内の空気を抜いて内部の真空が保たれた状態でゆで卵１１が密封封止されるので、袋状体１２を構成している上下のプラスチックシートがゆで卵１１に密着する。そのため、ゆで卵１１が袋状体１２の中で動いてしまうことがない。駅の売店などではこの状態で販売される。
【００１７】
次に、ゆで卵包装袋１０に密封収納されたゆで卵１１の取り出し方法を図２乃至図６に基づいて説明する。先ず、図２に示されるように、袋状体１２の上辺１７の角部をつまんで横方向に引っ張り、切込み部１５に導かれるようにして袋状体１２の上部を横方向に開封し、ゆで卵１１の取出口１６を設ける。
【００１８】
取出口１６を設けることで袋状体１２の中に空気が入り、ゆで卵１１が動き得るようになる。次に、図３の矢印Ｃに示されるように、ゆで卵１１を取出口１６に向けて押し上げるようにして移動させる。すると直線状に張られた線状体１３にゆで卵１１の頂部が当たるので、さらにゆで卵１１を押し上げて移動させることで、図４及び図５に示されるように、線状体１３がゆで卵１１のほぼ中心を水平方向にカットしながら移動する。そして、図６に示されるように、線状体１３を通過したゆで卵１１は、ほぼ同じ大きさに二つにカットされた状態で取出口１６から取り出すことができる。
【産業上の利用可能性】
【００１９】
本発明に係るゆで卵包装袋は、駅の売店で買ったゆで卵を電車内で食べる場合や、野外で利用する場合にも非常に簡便なものである。
【図面の簡単な説明】
【００２０】
【図１】本発明に係るゆで卵包装袋にゆで卵を収納した状態を示す斜視図である。
【図２】上記のゆで卵包装袋を開封した状態を示す斜視図である。
【図３】上記のゆで卵包装袋からゆで卵を取出す途中の状態を示す斜視図である。
【図４】上記図３におけるＡ−Ａ線に沿った断面図である。
【図５】上記図３におけるＢ−Ｂ線に沿った断面図である。
【図６】上記のゆで卵包装袋からゆで卵を取出した状態を示す斜視図である。
【図７】従来のゆで卵包装袋の一例を示す正面図である。
【符号の説明】
【００２１】
１０  ゆで卵包装袋
１１  ゆで卵
１２  袋状体
１３  線状体
１４  シール部
１５  切込み部（開封補助部）
１６  取出口
【図１】
2005035606.tif 000003
【図２】
2005035606.tif 000004
【図３】
2005035606.tif 000005
【図４】
2005035606.tif 000006
【図５】
2005035606.tif 000007
【図６】
2005035606.tif 000008
【図７】
2005035606.tif 000009